(57)【特許請求の範囲】
【請求項１】
筐状の支持フレーム内に配置された被支持体の振動を防ぐための防振装置であって、筐状の上記被支持体は左右側面で上記支持フレームとの間に介在させた防振ゴムとスプリングによって上記支持フレームに弾性的に支持されており、上記支持フレームは第１の状態と該第１の状態より９０゜回転させた第２の状態とを取ることができ、上記第１及び第２の何れの状態にあるときにも上記スプリングによって上記被支持体が吊持される防振装置において、
上記スプリングは上記被支持体の上記各側面に２本ずつ設けられており、上記各スプリングの一端は上記被支持体の上記各側面における重心で固定され他端は上記各側面に対向する上記支持フレームの二内壁にそれぞれ固定されており、上記第１の状態のとき一方の上記スプリングは垂直方向に沿って位置し他方の上記スプリングは上記一方のスプリングと９０゜を成すように位置しており、上記防振ゴムは上記支持フレームの上記各内壁に２個ずつ上記スプリングの延長方向に位置しないように設けられており、上記被支持体は上記各側面における重心を中点とした対角の位置で上記防振ゴムに支持されていることを特徴とする防振装置。
【請求項２】
筐状であって、一側面に開口を有し、該開口が上方を向いた第１状態と、該開口が側方を向いた第２の状態とをとる支持フレームと、
上記支持フレーム内に配置された筐状の被支持体とを備え、
該被支持体は上記開口を挟んで対向する上記支持フレームの２つの側面と上記被支持体との間にそれぞれ対称に介在させた２組のスプリングと２組の防振ゴムにより弾性支持されており、
１組のスプリングは２本のスプリングから成り、該２本のスプリングのうち一方のスプリングは一端が上記被支持体の側面の中心に、他端が上記支持フレームの側面のうち上記開口に近い部位に固定されており、他方のスプリングは一端が上記被支持体の側面の中心に、他端が上記一方のスプリングと略直角を成すように上記支持フレームの側面に固定されており、
１組の防振ゴムは２個の防振ゴムから成り、該２個の防振ゴムは上記支持フレームの側面の対角線上であって、側面の中心に関して反対側に備えられており、
上記第１の状態及び第２の状態の何れの状態にあるときも上記支持フレーム内に上記被支持体が吊持されることを特徴とする防振装置。
【発明の詳細な説明】
【０００１】
【発明の属する技術分野】
本発明は、ＣＤ、ＬＤ、ＤＶＤ又はＭＤ等の各種光ディスクの記録再生装置に適用されて良好なる機器の防振装置に関するものである。
【０００２】
【従来の技術】
従来より一般に使用されている車載用の光ディスク再生装置の防振装置について説明する。図８乃至図１０は光ディスク再生装置を具備した上記防振装置の断面図、左側面図及び右側面図である。図９及び図１０は後述する支持フレームの一部を欠いてその内部を示した側面図であり、また図８は図９及び図１０中のＣ-Ｃでの断面を前方から見た図である。
【０００３】
３１は光ディスク再生装置(図示せず)を具備した被支持体としての筐状のフローテイング部であり、これを包囲するように配置された筐状の支持フレーム３２に支持されている。この支持フレーム３２は前方で開口している。
【０００４】
支持フレーム３２によるフローテイング部３１の支持は次のように行われている。即ち、支持フレーム３２の内壁３２ａ,３２ｂには、防振ゴム３３ａ,３３ｂ,３４ａ,３４ｂがそれぞれ２個ずつ水平方向に間隔をもって並んで固定されている。これら防振ゴム３３ａ,３３ｂ,３４ａ,３４ｂはオイル等の粘性抵抗付与手段を一部薄肉のゴムで覆ったものであり、その中央には図示しない穴が形成されている。
【０００５】
フローテイング部３１の側面３１ａ,３１ｂには、支持軸３５ａ,３５ｂ,３６ａ,３６ｂがそれぞれ２個ずつ設けられている。これらは防振ゴム３３ａ,３３ｂ,３４ａ,３４ｂと対向するように位置しており、突出した先端部が防振ゴム３３ａ,３３ｂ,３４ａ,３４ｂの図示しない穴に挿入されている。これによって、フローティング部３１はその自重が防振ゴム３３ａ,３３ｂ,３４ａ,３４ｂの粘性抵抗及びゴムの弱い復帰力と釣り合うことにより支持されている。
【０００６】
更に、上記支持フレーム３２の内壁３２ａ,３２ｂに設けた支持片３７ａ,３７ｂとフローテイング部３１の側面３１ａ,３１ｂに設けた支持突起３８ａ,３８ｂとの間にスプリング３９ａ,３９ｂを懸架することでフローティング部３１は吊持されている。この支持突起３８ａ,３８ｂは各側面３１ａ,３１ｂにおける支持軸３５ａ,３６ａ及び３５ｂ,３６ｂの中点に位置し、且つ重心に対応している。
【０００７】
尚、これらの図８乃至図１０と後述する図１１乃至図１３では、防振ゴム３３ａ,３３ｂ,３４ａ,３４ｂ及びスプリング３９ａ,３９ｂにフローティング部３１の重量が掛かっていない状態で示している。
【０００８】
図８乃至図１０では、スプリング３９ａ,３９ｂがフローティング部３１を鉛直に吊持するように、支持突起３８ａ,３８ｂの垂直上方に支持片３７ａ,３７ｂが位置している。この支持片３７ａ,３７ｂは、図示しないガイド手段によって第１の位置Ｐから第２の位置Ｑにスライド可能に取り付けられている(図９及び図１０中、矢印Ｗ)。
【０００９】
以上のような構成において、図８乃至図１０に示す防振装置では支持フレーム３２が前方で開口するように位置しており、更に上記支持片３７ａ,３７ｂを第１の位置Ｐに設定している。これを第１の状態とする。ここから、支持フレーム３２を上方で開口するように９０゜回転して位置させ、また図示しないガイド手段により支持片３７ａ,３７ｂを第１の位置Ｐから第２の位置Ｑへスライドさせて第２の状態とする。図１１乃至図１３は第２の状態にある防振装置の断面図、左側面図及び右側面図であり、それぞれ図８乃至図１０に相当する。尚、図１１は図１２及び図１３におけるＤ-Ｄでの断面を示している。
【００１０】
上記第１及び第２の状態では、支持フレーム３２に上下方向の強制振動が加わっても、スプリング３９ａ,３９ｂのバネ定数と防振ゴム３３ａ,３３ｂ,３４ａ,３４ｂの粘性抵抗及びバネ定数とによってフローテイング部３１へ伝達される振動は減衰される。故に、この防振装置によって車の振動が光ディスク再生装置には伝達されにくくなる。また、支持フレーム３２を前方(第１の状態)又は上方(第２の状態)で開口するように位置させることができるので、車内での設置位置によって光ディスク再生装置の操作しやすい方向を選択することができる。
【００１１】
【発明が解決しようとする課題】
上記従来の防振装置では、図１１乃至図１３の第２の状態を取る場合、スプリング３９ａ,３９ｂの一端である支持片３７ａ,３７ｂの垂直上方に防振ゴム３３ａ,３３ｂが近接している。故に、防振ゴム３３ａ,３３ｂとスプリング３９ａ,３９ｂはその大きさや長さにおいて相互に制約を受けることになる。
【００１２】
一般に、フローテイング部３１の重量が大きい程、防振ゴム３３ａ,３３ｂ,３４ａ,３４ｂは直径の大きいものが必要である。又、防振装置は共振周波数をできるだけ低くすることが求められるが、そのためにはバネ定数を限りなく小さくする必要があるので、スプリング３９ａ,３９ｂの長さをできるだけ長くしなければならない。従って、防振ゴム３３ａ,３３ｂとスプリング３９ａ,３９ｂが大きさや長さにおいて相互に制約を受ける上記第２の状態では、より良好な防振性能を得ることができなかった。
【００１３】
この第２の状態において、防振ゴム３３ａ,３３ｂ及びスプリング３９ａ,３９ｂに制約をもたせないように、支持片３７ａ,３７ｂの位置を右又は左方向にずらせてスプリング３９ａ,３９ｂが防振ゴム３３ａ,３３ｂを避けるように配置するとしても、その場合、フローテイング部３１の支持突起３８ａ,３８ｂが防振ゴム３３ａ,３３ｂと防振ゴム３４ａ,３４ｂとのそれぞれの中点から大きくずれることになる。
【００１４】
その結果、防振ゴム３３ａ,３３ｂ,３４ａ,３４ｂがフローテイング部３１に付与する粘性抵抗、及びフローティング部３１の重心に加わる振動の加速度と、スプリング３９ａ,３９ｂの支持位置(支持突起３８ａ,３８ｂ)における支持力の関係に不均衡が生じる。これによって、支持フレーム３２に与えられた強制振動がフローテイング部３１に伝達されると、フローテイング部３１に不規則振動(ローリング)が発生して振動の減衰性能が著しく低下することになる。
【００１５】
又、上記従来技術では第１の状態と第２の状態とでガイド手段により支持片３７ａ,３７ｂの位置を変えなければならなかった。故に、防振装置はガイド手段を設けるだけ構成が複雑となり、またその操作を必要とする手間のかかるものであった。
【００１６】
本発明は上記課題をかんがみて成されたものであり、最良の防振性能が得られる防振装置を提供することを目的とする。また、そのほかの目的は、構成が簡単で且つ最小限の操作により支持フレームの開口位置を変えることができる防振装置を提供することにある。
【００１７】
【課題を解決するための手段】
上記目的を達成するために、本願の防振装置は、筐状の支持フレーム内に配置された被支持体の振動を防ぐための防振装置であって、筐状の被支持体は左右側面で支持フレームとの間に介在させた防振ゴムとスプリングによって支持フレームに弾性的に支持されており、支持フレームは第１の状態と該第１の状態より９０゜回転させた第２の状態とを取ることができ、第１及び第２の何れの状態にあるときにもスプリングによって被支持体が吊持される防振装置において、スプリングは被支持体の上記各側面に２本ずつ設けられており、各スプリングの一端は被支持体の上記各側面における重心で固定され他端は上記各側面に対向する支持フレームの二内壁にそれぞれ固定されており、第１の状態のとき一方のスプリングは垂直方向に沿って位置し他方のスプリングは一方のスプリングと９０゜を成すように位置しており、防振ゴムは支持フレームの上記各内壁に２個ずつスプリングの延長方向に位置しないように設けられており、被支持体は上記各側面における重心を中点とした対角の位置で防振ゴムに支持されていることを特徴とする。
【００１９】
本願の防振装置は、筐状であって、一側面に開口を有し、該開口が上方を向いた第１状態と、該開口が側方を向いた第２の状態とをとる支持フレームと、上記支持フレーム内に配置された筐状の被支持体とを備え、該被支持体は上記開口を挟んで対向する上記支持フレームの２つの側面と上記被支持体との間にそれぞれ対称に介在させた２組のスプリングと２組の防振ゴムにより弾性支持されており、１組のスプリングは２本のスプリングから成り、該２本のスプリングのうち一方のスプリングは一端が上記被支持体の側面の中心に、他端が上記支持フレームの側面のうち上記開口に近い部位に固定されており、他方のスプリングは一端が上記被支持体の側面の中心に、他端が上記一方のスプリングと略直角を成すように上記支持フレームの側面に固定されており、１組の防振ゴムは２個の防振ゴムから成り、該２個の防振ゴムは上記支持フレームの側面の対角線上であって、側面の中心に関して反対側に備えられており、上記第１の状態及び第２の状態の何れの状態にあるときも上記支持フレーム内に上記被支持体が吊持されることを特徴とする。
【００２０】
この構成によれば、被支持体はその左右側面で２個１組の防振ゴムにより、各側面の重心を中点とした対角の位置で支持されている。その結果、各側面では２個の防振ゴムにより被支持体に付与される粘性抵抗による回転モーメントが相互に打ち消し合うので、被支持体に不規則振動を起こさせることなく、外部からの振動を減衰させる。又、防振ゴムは支持フレームの二内壁にスプリングの延長方向に位置しないように設けられていることから、スプリングの長さ及び防振ゴムの大きさは相互に制約を受けることがない。
また、被支持体はその左右側面で２個１組のスプリングにより支持されており、各側面でスプリングはＬ字型を成すように位置していることから、第１の状態では２個１組のスプリングのうちの一方のスプリングが被支持体を吊持し、第２の状態では他方のスプリングが被支持体を吊持する。その結果、支持フレームに固定されているスプリングの他端の位置を変えなくても、第１及び第２の状態においてそれぞれ被支持体を吊持することができる。
【００２３】
又、被支持体はその左右側面で２個１組のスプリングにより支持されており、各側面でスプリングはＬ字型を成すように位置していることから、第１の状態では２個１組のスプリングの内の一方のスプリングが被支持体を吊持し、第２の状態では他方のスプリングが被支持体を吊持する。その結果、支持フレームに固定されているスプリングの他端の位置を変えなくても、第１及び第２の状態においてそれぞれ被支持体を吊持することができる。
【００２４】
【発明の実施の形態】
以下、本発明に係る実施形態を図に従って詳細に説明する。図１乃至図３は本実施形態の防振装置の断面図、左側面図及び右側面図である。図２及び図３は後述する支持フレームの一部を欠いてその内部を示しており、また図１は図２及び図３中のＡ-Ａでの断面を前方から見た図である。１は光ディスク再生装置(図示せず)を具備た被支持体としての筐状のフローテイング部であり、筐状の支持フレーム２内に配置されている。この支持フレーム２は前方で開口している。
【００２５】
支持フレーム２によるフローティング部１の支持は次のように行われている。即ち、３ａ,３ｂ,４ａ,４ｂは従来技術と同様の防振ゴムであり、これら防振ゴム３ａ,４ａ及び３ｂ,４ｂはそれぞれ対をなして支持フレーム２の内壁２ａ及び２ｂの対角の位置に固着されている。
【００２６】
５ａ,６ａ及び５ｂ,６ｂはフローテイング部１の側面１ａ及び１ｂにそれぞれ対をなして設けられた支持軸であり、その先端部は対向する上記防振ゴム３ａ,４ａ及び３ｂ,４ｂの図示しない穴に挿入支持されている。また、７ａ,８ａ及び７ｂ,８ｂは上記支持フレーム２の内壁２ａ及び２ｂにおいて離れた位置に設けられた支持片である。
【００２７】
９ａ,１０ａ及び９ｂ,１０ｂはそれぞれ対をなすスプリングであり、前者のスプリングの対９ａ,１０ａは一端を上記フローテイング部１の側面１ａに設けた共通の支持突起１１ａに係合するとともに、他端をそれぞれ上記支持片７ａ,８ａに係合している。又、後者のスプリングの対９ｂ,１０ｂは一端を上記フローテイング部１の側面１ｂに設けた共通の支持突起１１ｂに係合するとともに、他端をそれぞれ上記支持片７ｂ,８ｂに係合している。
【００２８】
図７は該防振装置の各部材の位置関係を示した説明図である。この図は防振装置の左側面から見たところであり(上記図２に相当)、防振ゴム３ｂ,４ｂ及びスプリング９ｂ,１０ｂにフローティング部１の重量が掛かっていない状態で示している。尚、右側面も同様の構成であることからその説明は省略する。
【００２９】
図から明らかなように、本実施形態では上記支持突起１１ｂはフローテイング部１の側面１ｂにおける重心Ｇに配置されている。そして、上記防振ゴム３ｂ,４ｂはフローテイング部１の重心Ｇを通る水平なｘ軸・Ｘに対して上下に、又重心Ｇを通る垂直なｙ軸・Ｙに対して左右にそれぞれ等距離に振り分けて配置されている。即ち、防振ゴム３ｂ,４ｂはフローテイング部１の重心Ｇより等距離にあって対角の位置に配置されている。
【００３０】
又、これに併せて、上記支持片７ｂは上記支持フレーム２の内壁２ｂ上においてｙ軸・Ｙ上に配置されるとともに、支持片８ｂは同じく支持フレーム２の側面２ｂ上においてｙ軸・Ｙ上に配置されている。その結果、それぞれ支持片７ｂ,８ｂと支持突起１１ｂに係合されている各スプリング９ｂ,１０ｂは、支持フレーム２の側面２ｂ上においてＬ字型に配置されている。
【００３１】
以上の構成により、フローテイング部１は２対のスプリング９ａ,１０ａ及び９ｂ,１０ｂを介して支持フレーム２に弾性的に吊持されるとともに、２対の防振ゴム３ａ,４ａ及び３ｂ,４ｂを介して支持フレーム２に取り付けられた構造となっている。
【００３２】
本発明は上述のように構成されるものであり、次にその作用について説明する。
図１乃至図３は本実施形態の防振装置における第１の状態であり、支持フレーム２は前方で開口するように位置し、フローテイング部１はスプリング９ａ,９ｂによって吊持されている。このとき、図２及び図３で示すように、フローティング部１はスプリング１０ａ,１０ｂによって前方へ引っ張られる力を受けている。
【００３３】
ここから、支持フレーム２を上方で開口するように９０゜回転して位置させると、第２の状態となる。図４乃至図６は第２の状態にある本実施形態の防振装置の断面図、左側面図及び右側面図であり、それぞれ図１乃至図３に相当する。尚、図４は図５及び図６におけるＢ-Ｂでの断面を示している。この第２の状態ではフローティング部１はスプリング１０ａ,１０ｂにより吊持されており、スプリング９ａ,９ｂによって後方へ引っ張られる力を受けている。
【００３４】
支持フレーム２に上下方向の強制振動が加わった時、第１の状態の場合はスプリング９ａ,９ｂ、第２の状態の場合はスプリング１０ａ,１０ｂにおける夫々のバネ定数と防振ゴム３ａ,３ｂ,４ａ,４ｂの粘性抵抗及びバネ定数とによってフローテイング部１へ伝達する振動を減衰することができる。
【００３５】
上述したように、本実施形態の防振装置では第１及び第２の状態のいずれの場合も、スプリング９ａ,９ｂ及び１０ａ,１０ｂにおける支持片７ａ,７ｂ及び８ａ,８ｂ側の延長方向には防振ゴム３ａ,３ｂ,４ａ,４ｂは位置しない。従って、防振ゴム３ａ,３ｂ,４ａ,４ｂの大きさ及びスプリング９ａ,９ｂ,１０ａ,１０ｂ長さを所望のものに設定することができる。また、支持フレーム２を回転させて開口の向きを変えるだけで第１の状態と第２の状態とを切り替えることができるので、従来技術のようにスプリングの端部を移動させるガイド手段やその操作を必要としない。
【００３６】
【発明の効果】
本発明は上述のように構成されるものであり、本願の防振装置では、防振ゴムは支持フレームの二内壁でスプリングの延長方向に位置しないように設けられていることから、スプリングの長さ及び防振ゴムの大きさは相互に制約を受けることがない。従って、防振性能の要因であるスプリングのバネ定数と防振ゴムの大きさに制約を受けることなく、最適な長さや大きさに設定することができる。故に、この防振装置によって得られる防振性能は非常に良好なものとなる。
【００３７】
また、２個１組のスプリングを支持フレーム及び被支持体の左右側面にＬ字型となるように配置しており、第１の状態では２個１組のスプリングの内の一方のスプリングが被支持体を支持し、第２の状態では他方のスプリングが被支持体を支持する。故に、従来技術のように第１の状態と第２の状態とでスプリングの端部の位置を移動させる手段とその操作を必要としないので、防振装置の構成は簡単になり、またその操作を行う手間が省略される。
【図面の簡単な説明】
【図１】  本発明に係る防振装置の第１の状態を示す断面図である。
【図２】  同防振装置の第１の状態を示す左側面図である。
【図３】  同防振装置の第１の状態を示す右側面図である。
【図４】  同防振装置のの第２の状態を示す断面図である。
【図５】  同防振装置の第２の状態を示す左側面図である。
【図６】  同防振装置の第２の状態を示す右側面図である。
【図７】  同防振装置における各部材の位置関係を示した説明図である。
【図８】  従来の防振装置の第１の状態を示す断面図である。
【図９】  同防振装置の第１の状態を示す左側面図である。
【図１０】  同防振装置の第１の状態を示す右側面図である。
【図１１】  同防振装置の第２の状態を示す正面図である。
【図１２】  同防振装置の第２の状態を示す左側面図である。
【図１３】  同防振装置の第２の状態を示す右側面図である。
【符号の説明】
１    フローテイング部
２    支持フレーム
３ａ  防振ゴム
３ｂ  防振ゴム
４ａ  防振ゴム
４ｂ  防振ゴム
９ａ  スプリング
９ｂ  スプリング
１０ａ  スプリング
１０ｂ  スプリング
１１ａ  支持突起
１１ｂ  支持突起
【図１】
0003710295.tif 000002
【図２】
0003710295.tif 000003
【図３】
0003710295.tif 000004
【図４】
0003710295.tif 000005
【図５】
0003710295.tif 000006
【図６】
0003710295.tif 000007
【図７】
0003710295.tif 000008
【図８】
0003710295.tif 000009
【図９】
0003710295.tif 000010
【図１０】
0003710295.tif 000011
【図１１】
0003710295.tif 000012
【図１２】
0003710295.tif 000013
【図１３】
0003710295.tif 000014